(57)【要約】【課題】剃り部分に応じた最適な刃面を形成することができ、最適な肌当て角度を形成できる電気かみそりを提供する。【解決手段】刃ヘッド部２は複数の刃ユニットを可動ユニットとして備え、該可動ユニットのうち少なくとも１の刃ユニットを基準位置より上下に移動させた位置で固定して使用可能に構成されている。【選択図】　図１
2004049864.tif 000002
【特許請求の範囲】
【請求項１】
かみそり本体の上部に、外刃と該外刃の内面に摺接して往復動可能な内刃とを有する複数の刃ユニットが並設された刃ヘッド部を備えた電気かみそりにおいて、
前記刃ヘッド部は複数の刃ユニットを可動ユニットとして備え、該可動ユニットのうち少なくとも１の刃ユニットを基準位置より上下方向の所定位置へ移動させて固定して使用可能に構成されていることを特徴とする電気かみそり。
【請求項２】
前記可動ユニットは、少なくとも１のフォイル状の外刃を有する可動刃ユニットを含むことを特徴とする請求項１記載の電気かみそり。
【請求項３】
前記可動刃ユニットを基準位置より上下方向の所定位置へ移動させると、前記刃ヘッド部のかみそり本体に対する傾き角度を変化させることが可能になっていることを特徴とする請求項２記載の電気かみそり。
【請求項４】
前記可動刃ユニットの移動動作と前記刃ヘッド部の傾き動作とが連繋して行なわれることを特徴とする請求項３記載の電気かみそり。
【請求項５】
前記可動刃ユニットの可動外刃を含む複数の外刃を支持する外刃枠が刃ヘッド部に着脱可能に取り付けられており、前記刃ヘッド部に外刃枠が装着されている間は、前記可動外刃は外刃枠に対して上下方向に自由に移動可能に支持され、前記外刃枠を刃ヘッド部より外す際に前記可動外刃が外刃枠の下方へ移動して係止固定されることを特徴とする請求項１記載の電気かみそり。
【請求項６】
可動内刃側には、前記刃ヘッド部に外刃枠が装着される際に可動外刃に係止する可動外刃係止部と、前記可動外刃と外刃枠との係止状態を解除する係止解除部とが設けられていることを特徴とする請求項５記載の電気かみそり。
【請求項７】
前記刃ヘッド部には、フォイル状の外刃を有する可動刃ユニット、スリット状の外刃を有する粗剃り刃ユニット、フォイル状の外刃を有するメイン刃ユニット及びスリット状の外刃を有するきわ剃り刃ユニットが並設されており、前記可動刃ユニットを基準位置より上下方向の所定位置へ移動させると、刃ヘッド部のかみそり本体に対する傾き角度を変化させることが可能になっていることを特徴とする請求項１、２、３、４、５又は６記載の電気かみそり。
【発明の詳細な説明】
【０００１】
【発明の属する利用分野】
本発明は、電気かみそりに係り、詳しくはかみそり本体の上部に外刃と該外刃の内面に摺接して往復動可能な内刃とを有する複数の刃ユニットが並設された刃ヘッド部を備えた電気かみそりに関する。
【０００２】
【従来の技術】
往復式の電気かみそりは、駆動源（モータ）、駆動機構、電源部、操作スイッチなどを備えたかみそり本体の上部に、フォイル状の外刃と該外刃の内面に摺接して往復動（レシプロ動作）される内刃とが組み合わされた単数又は複数の刃ユニットと、スリット状の外刃（例えばきわぞり刃や粗剃り刃）と該外刃の内面に摺接して往復動（レシプロ動作）される内刃とが組み合わされた刃ユニットとが並設された刃ヘッド部が設けられている。
【０００３】
図１９は電気かみそりの刃ヘッド部の一例を示すものである。図示しないかみそり本体には、刃ヘッド部１０１が着脱可能に装着されている。刃ヘッド部１０１は、レシプロ駆動される内刃及びフォイル状の外刃が組み合わされた複数の刃ユニット１０２と、該刃ユニット１０２と隣接してくせ髭や長い髭等を粗剃りする粗剃り刃１０３やもみ上げを剃るきわぞり刃１０４を備えている。きわぞり刃１０４は、かみそり本体の操作部に連繋して高さ位置が破線部分を含めた段階的に調整して使用可能になっている（例えば、特許文献１参照）。
【０００４】
【特許文献１】
特開２０００−１５７７５９号公報
【０００５】
【発明が解決しようとする課題】
図１９に示す電気かみそりにおいて、刃ユニット１０２の高さ位置が一定のため、例えば鼻下の髭や、顎下の髭を剃る場合に、肌当て面積が限られたり、くせ髭の矯正が不十分なまま剃ることにより、剃り残しが生じ易くし上がりが不十分になり易い。剃り残しが生じた場合には、同じ剃り面を何度もリトライする必要があり剃り効率が低下する。また、きわぞり刃１０４を上下位置に調整するだけでは、頬、鼻下、顎下など様々な剃り面を有する肌面に対応する刃面のバリエーションが少なく、十分に機能が発揮できないという課題があった。
【０００６】
本発明の目的は、上記従来技術の課題を解決し、剃り部分に応じた最適な刃面を形成することができ、最適な肌当て角度を形成できる電気かみそりを提供することにある。
【０００７】
【課題を解決するための手段】
上記課題を解決するため、本発明は次の構成を備える。
かみそり本体の上部に、外刃と該外刃の内面に摺接して往復動可能な内刃とを有する複数の刃ユニットが並設された刃ヘッド部を備えた電気かみそりにおいて、前記刃ヘッド部は複数の刃ユニットを可動ユニットとして備え、該可動ユニットのうち少なくとも１の刃ユニットを基準位置より上下方向の所定位置へ移動させて固定して使用可能に構成されていることを特徴とする。
また、前記可動ユニットは、少なくとも１のフォイル状の外刃を有する可動刃ユニットを含むことを特徴とする。
また、前記可動刃ユニットを基準位置より上下方向の所定位置へ移動させると、前記刃ヘッド部のかみそり本体に対する傾き角度を変化させることが可能になっていることを特徴とする。
また、前記可動刃ユニットの移動動作と前記刃ヘッド部の傾き動作とが連繋して行なわれることを特徴とする。
また、前記可動刃ユニットの可動外刃を含む複数の外刃を支持する外刃枠が刃ヘッド部に着脱可能に取り付けられており、前記刃ヘッド部に外刃枠が装着されている間は、前記可動外刃は外刃枠に対して上下方向に自由に移動可能に支持され、前記外刃枠を刃ヘッド部より外す際に前記可動外刃が外刃枠の下方へ移動して係止固定されることを特徴とする。
また、可動内刃側には、前記刃ヘッド部に外刃枠が装着された際に可動外刃に係止する可動外刃係止部と、前記可動外刃と外刃枠との係止状態を解除する係止解除部とが設けられていることを特徴とする。
また、前記刃ヘッド部には、フォイル状の外刃を有する可動刃ユニット、スリット状の外刃を有する粗剃り刃ユニット、フォイル状の外刃を有するメイン刃ユニット及びスリット状の外刃を有するきわ剃り刃ユニットが並設されており、前記可動刃ユニットを基準位置より上下方向の所定位置へ移動させると、刃ヘッド部のかみそり本体に対する傾き角度を変化させることが可能になっていることを特徴とする。
【０００８】
【発明の実施の形態】
以下、本発明の好適な実施の形態について添付図面と共に詳述する。
図１（ａ）〜（ｃ）は電気かみそりの刃ヘッド部の各種動作モードを示す内視説明図、図２（ａ）（ｂ）は電気かみそりの外観斜視図、図３（ａ）（ｂ）は電気かみそり及び可動刃ユニットの分解斜視図、図４はきわ剃り刃の分解斜視図、図５は電気かみそりの側面中央部の部分断面図、図６は図５の電気かみそりの矢印Ａ−Ａ断面図、図７は図５の電気かみそりの矢印Ｂ−Ｂ断面図、図８は刃ヘッド部の模式図、図９は刃ヘッド部より外刃枠を取り外した状態の斜視図、図１０は図９の外刃枠の矢印Ｃ−Ｃ断面図、図１１は外刃枠の分解斜視図、図１２は外刃枠の斜視図、図１３（ａ）（ｂ）は図９の外刃枠の矢印Ｄ−Ｄ断面より側面内壁方向を見た説明図、図１４〜図１７は電気かみそりの使用状態を示す説明図、図１８（ａ）（ｂ）は他例に係る電気かみそりの刃ヘッド部のモード切換え動作を示す説明図である。
【０００９】
先ず、電気かみそりの概略構成について図２（ａ）（ｂ）及び図７を参照して説明する。駆動源や駆動機構を備えたかみそり本体１の上部に、外刃と該外刃の内面に摺接して往復動される内刃とが組み合された複数の刃ユニットが並接された刃ヘッド部２が設けられている。この刃ヘッド部２は、複数の刃ユニットを可動ユニットとして備えている。この可動ユニットのうちを少なくとも１の刃ユニットを基準位置より上下に移動させた位置で固定して使用可能に構成されている。
本実施例では、可動ユニットとしてフォイル状の可動外刃３ａを有する可動刃ユニット３とスリット状の可動外刃６ａを有するきわ剃り刃ユニット６とを備えている。この可動刃ユニット３又はきわ剃り刃ユニット６を後述するように上下に移動させた位置で固定して使用可能になっている。その他の刃ユニットであるフォイル状の固定外刃４ａを有するメイン刃ユニット４、スリット状の固定外刃７ａを有する粗剃り刃ユニット７は、ヘッド部フレーム５に装着されたまま使用される。
【００１０】
きわ剃り刃ユニット６は、メイン刃ユニット４に隣接してヘッド部フレーム５に装着されている。このきわ剃り刃ユニット６は、スリット状の可動外刃６ａと該可動外刃６ａの内面に摺接して往復動する可動内刃６ｂとを備え、主にもみ上げを剃るために用いられる（図７参照）。きわ剃り刃ユニット６は、操作レバー６ｃに連繋して設けられている。この操作レバー６ｃは、ヘッド部フレーム５に上下方向に形成されたガイド孔５ａを挿通してフレーム外へ突出して設けられている。この操作レバー６ｃの外面にはローレットが形成されており、該ローレットに指に掛けてガイド孔５ａに沿ってスライドさせることにより、きわ剃り刃ユニット６の刃面を上方へ突出させて使用することができる。
【００１１】
また、粗剃り刃ユニット７は、メイン刃ユニット４と可動刃ユニット３との間に設けられ、ヘッド部フレーム５に装着されている。この粗剃り刃ユニット７は、スリット状の固定外刃７ａと該固定外刃７ａの内面に摺接して往復動する固定内刃７ｂとを備え、主に長い髭やくせ髭を粗剃りするものである（図７参照）。この粗剃り刃ユニット７により粗剃りされた後、可動刃ユニット３又はメイン刃ユニット４により仕上げ剃りが行なわれる。可動刃ユニット３とメイン刃ユニット４は、フォイル状の可動外刃３ａ、固定外刃４ａと、該可動外刃３ａ、固定外刃４ａの内面に摺接して往復動する可動内刃３ｂ、固定内刃４ｂとを各々備えている（図７参照）。上記各内刃３ｂ、４ｂは、スプリングが弾装された内刃フロート具によりフローティング支持され、各外刃３ａ、４ａの内面に当接するようになっている（図３（ｂ）参照；固定内刃４ｂ側は省略）。上記メイン刃ユニット４の外刃４ａ、粗剃り刃ユニット７及び可動刃ユニット３の外刃３ａは外刃枠８に支持されている（図２（ａ）（ｂ）参照）。この外刃枠８は、刃ヘッド部２に設けられた外刃枠着脱キー９により、刃ヘッド部２より分離可能に構成されている（図３（ａ）参照）。
【００１２】
また、かみそり本体１の正面にはメインスイッチ１０が設けられており、可動刃ユニット３やメイン刃ユニット４に設けられた内刃をレシプロ駆動させる。また、かみそり本体１の一側面には、モード切換え部の一例としてモード切換えダイヤル１１が設けられている。このモード切換えダイヤル１１を所定方向に回転させると、後述するように可動刃ユニット３を基準位置より上下に移動させると共に、刃ヘッド部２のかみそり本体１に対する傾き角度が変化するようになっている。
【００１３】
次に、電気かみそりの各部の構成について、図３〜図１２を参照して説明する。図３（ａ）において、かみそり本体１の上面部１ａには、第１のモータジョイント部１２、第１の偏芯ピン１３、第２のモータジョイント部１４及び第２の偏芯ピン１５が軸方向に連繋して設けられている。第２のモータジョイント部１４は、第１の偏芯ピン１３を介して連繋する偏芯ジョイント部である。第１、第２の偏芯ピン１３、１５は第２のモータジョイント部１４の上下で位相がほぼ反転した位置に立設されている。
【００１４】
図７において、メイン刃ユニット４の内刃４ｂは、第１のオシレータ１６のオシレータ軸１７に連繋している。第１のオシレータ１６は、オシレータ連結部１６ａが第１の偏芯ピン１３に溝嵌合している。オシレータ軸１７には刃連結体１８が嵌め込まれている。この刃連結体１８はきわ剃り刃ユニット６及び粗剃り刃ユニット７に連繋している。可動刃ユニット３の可動内刃３ｂは可動オシレータ１９の可動オシレータ軸１９ａに連繋している。また、可動オシレータ１９は第２のオシレータ２０に対して上下に移動可能に連繋している。可動オシレータ１９は、可動刃ユニット３が上下に移動しても第２のオシレータ２０に干渉しないように上下方向にフリーで水平方向にのみ移動が規制されて嵌め込まれている。第２のオシレータ２０は、オシレータ連結部２０ａが第２の偏芯ピン１５に溝嵌合している。
【００１５】
第２のモータジョイント部１４の上下で位相がほぼ反転した位置に第１の偏芯ピン１３と第２の偏芯ピン１５とが立設され、第１の偏芯ピン１３に第１のオシレータ１６を連繋させ、第２の偏芯ピン１５に第２のオシレータ２０を連繋させている。これにより、第２のモータジョイント部１４の回転駆動を第１のオシレータ１６と第２のオシレータ２０とで互いに逆向きの往復動に変換して各刃ユニットの内刃へ伝達するようになっている。
駆動モータ４７を起動すると、第１のオシレータ１６を通じてメイン刃ユニット４、きわ剃り刃ユニット６及び粗剃り刃ユニット７に駆動伝達され、第２のオシレータ２０及び可動オシレータ１９を通じて可動刃ユニット３へ互いに逆向きに駆動伝達されるようになっている。このとき、上記メイン刃ユニット４、きわ剃り刃ユニット６及び粗剃り刃ユニット７の各内刃４ｂ、６ｂ、７ｂと可動刃ユニット３の可動内刃３ｂとは逆向きに往復駆動される。
【００１６】
また、図３（ａ）において、かみそり本体１の上面部１ａには、起立支持片２３が左右両側に起立形成されている。ネックカバー２１は、止め具２２により上面部１ａにねじ止めされる。図５において、起立支持片２３はネックカバー２１の上方に突設され、上端側に設けられた嵌合孔にヘッド支点軸２４が嵌め込まれている。このヘッド支点軸２４にヘッドベース部２５が嵌め込まれて刃ヘッド部２が回動可能に支持されている。
【００１７】
また、図５において、かみそり本体１の側面部１ｂには、連結体支点軸２６が嵌め込まれている。この連結体支点軸２６には、アーム状のヘッド連結体２７が回転可能に支持されている。このヘッド連結体２７の両端には係合ピン２７ａ、２７ｂが各々突設されている。また、刃ヘッド部２において、ヘッドベース部２５の底部には補強板２８が設けられている。図６において、補強板２８の上下方向に折り曲げられた垂下片には凹溝２９が形成されている。ヘッド連結体２７の一端側の係合ピン２７ａは補強板２８の凹溝２９に嵌め込まれている。
【００１８】
また、かみそり本体１の側面部１ｂには、モード切換えダイヤル１１が回動可能に組み付けられる。以下、モード切換えダイヤル１１の組み付け構成について図３（ａ）を参照して説明する。側面部１ｂには、モードキークリック体３０が側面カバー３１に連繋して一体に取り付けられる。側面カバー３１は、ヘッド連結体２７の外側を覆って装着される。この側面カバー３１には嵌込み孔３１ａが形成されている。また、側面部１ｂにはダイヤルシャフト３２が嵌込み孔３１ａの中心部位置に嵌め込まれる。この嵌込み孔３１ａにはモードキー３３及びモードカバー３４が一体に嵌め込まれ、モードキー３３がダイヤルシャフト３２を中心に回転可能に組み付けられる。
【００１９】
図６において、モードキー３３のダイヤルシャフト３２への嵌合孔３３ａの周囲にはリブ３５が設けられている。このリブ３５に囲まれた係合溝３６が径方向に設けられている。上記係合溝３６にヘッド連結体２７の他端側の係合ピン２７ｂが嵌め込まれている。また、リンクアーム４０は、一端が可動刃ユニット３の底部に設けられたオシレータホルダー３７のアーム軸３８に連繋しており、他端がモードキー３３に設けられたボス部３９に連繋している。
前述したモード切換えダイヤル１１を回すことにより、リンクアーム４０を通じてオシレータホルダー３７を押上げたり引き下げたりして、可動刃ユニット３を上下に移動させることができる。
【００２０】
ここで、可動刃ユニット３の組み付け構成について図３（ｂ）を参照して説明する。リンクアーム４０は保持軸４１と一体にＬ字状に形成されている。この保持軸４１がオシレータホルダー３７に水平方向に組み込まれアーム軸３８が保持軸４１と同軸状に嵌め込まれることにより、リンクアーム４０が垂下して支持される。また、オシレータホルダー３７には可動オシレータ１９が一体に組み込まれる。この可動オシレータ１９の上部に設けられた連結部１９ｂには可動オシレータ軸１９ａが嵌め込まれる。可動オシレータ軸１９ａにはスプリング４８が同軸状に装着され、軸先端に可動内刃フロート具４２が嵌め込まれる。可動内刃フロート具４２は、スプリング４８により常時連結部１９ｂの上方に付勢されて支持される。可動内刃３ｂは可動内刃フロート具４２に嵌め込まれてフローティング支持される。
【００２１】
また、図６において、モード切換えダイヤル１１の位置は、モードキークリック体３０とモードキー３３のクリック部３３ａとの凹凸嵌合によりダイヤル位置（可動刃ユニット３の位置）を固定して使用できるようになっている。ちなみに、本実施例では、後述するように、ノーマルモード（頬用）、鼻下モード（鼻下用）、顎下モード（顎下用）と３位置でモード切換えが行えるようになっている。これにより、図８の模式図に示すように、可動刃ユニット３がノーマル位置、上位置、下位置へそれぞれ移動して固定されるようになっている。
【００２２】
図９において、可動刃ユニット３の可動外刃３ａを含む複数の外刃が支持された外刃枠８が刃ヘッド部２に着脱可能に取り付けられている。刃ヘッド部２に外刃枠８が装着されている間は、可動外刃３ａは外刃枠８に対して上下方向に自由に移動可能に支持されている。また、外刃枠８を刃ヘッド部２より外す際には可動外刃３ａが外刃枠８の下方へ移動して係止固定されるようになっている。
また、図９において、可動刃ユニット３のうち、可動内刃３ｂを振動させる可動オシレータ１９を保持するオシレータホルダー３７の両側側壁には、可動外刃係止部６２と係止解除部６３とが上下に離間して形成されている。
【００２３】
図１１において、可動外刃３ａを両側より支持する外刃フレーム５１の外璧面にはガイド突部５２が形成されている。このガイド突部５２が、外刃枠８の両側内壁に上下方向に形成されたガイド凹溝８ａに嵌め込まれて、可動外刃３ａが上下動可能に支持されるようになっている。外刃フレーム５１の下端側内壁面には、可動内刃係止凹溝５３及び外刃枠係止部５４が上下及び内外に離間して形成されている。可動内刃係止凹溝５３は、外刃フレーム５１より垂設され先端部（下端部）にフック部５３ｂが形成された二股状（コ字状或いはＵ字状）のアーム部５３ａと外刃フレーム５１の内壁面とで凹溝状に形成されている。外刃枠係止部５４は、可動内刃係止凹溝５３より外側に設けられている。外刃枠係止部５４は、外刃フレーム５１より垂設された二股状（コ字状或いはＵ字状）のアーム部５４ａの先端部（下端部）に形成されたＬ字状のフック部５４ｂの内壁面に形成されている。
【００２４】
図１０において、外刃枠８の両側脚部８ｄの内壁にはロックプレート５５が一体にかしめられて取り付けられている。ロックプレート５５にはロックアーム５６が下方に延設されている。ロックアーム５６の先端部にはロック爪５７が内方に向かって隆起して形成されている。ロックアーム５６は、脚部８ｄの内壁より離間して設けられているため、ロックプレート５５に対して図１０の左右方向へ弾性変形可能になっている。外刃枠８を刃ヘッド部２より取り外す際に、可動内刃係止凹溝５３に可動外刃係止部６２が係止しているため、可動外刃３ａは可動内刃３ｂに連繋したまま下動し、外刃枠係止部５４がロック爪５７を乗り越えて外刃枠８に係止される。これにより、可動外刃３ａが外刃枠８内で最も下降した位置（着脱位置）で固定されるようになっている。
【００２５】
また、図１１において、メイン刃ユニット４の固定外刃４ａを両側より支持する外刃フレーム５８と、粗剃り刃ユニット７（外刃７ａ及び内刃７ｂ）を両側より支持する外刃フレーム５９とはボス部の嵌合により一体に組付けられている。外刃フレーム５８、５９の外壁面にはガイド突部６０、６１が両側に形成されている。このガイド突部６０、６１が外刃枠８の両側内壁に形成されたガイド凹溝８ｂ、８ｃに嵌め込まれて、固定外刃４ａ及び粗剃り刃ユニット７が各々外刃枠８に対して若干上下に移動可能に組付けられる。メイン刃ユニット４の固定内刃４ｂは刃連結体１８により内刃支持体７ｃを介して粗剃り刃ユニット７の固定内刃７ｂと連繋している（図７参照）。外刃フレーム５８、５９は、外刃枠８が刃ヘッド部２に装着されることにより、メイン刃ユニット４の固定内刃４ｂの弾性によって固定外刃４ａ及び固定外刃７ａが外刃枠８に対して一体にフローティング支持される（図９、図１２参照）。
【００２６】
外刃枠８が刃ヘッド部２より取り外された状態では、可動外刃３ａは外刃枠８の下方に支持されており、外刃枠係止部５４がロック爪５７に係止して可動外刃３ａの位置が着脱位置に固定されている（図１３（ａ）参照）。刃ヘッド部２に外刃枠８が装着される際に、可動内刃３ｂ側の可動外刃係止部６２が可動外刃３ａの可動内刃係止凹溝５３に進入して係止する。これにより、可動内刃３ｂの上下動に追従して可動外刃３ａが移動可能に連繋する。また、可動内刃３ｂ側の係止解除部６３がロックアーム５６のロック爪５７を外側へ押動して外刃枠係止部５４との係止状態を解除する。これによって、可動外刃３ａが可動内刃３ｂの進入に伴って外刃枠８に対して上方向に自由に移動し、モード切換えダイヤル１１の操作位置に応じた高さ位置へ可動刃ユニット３がセットされるようになっている（図１３（ｂ）参照；ノーマルモード位置を例示）。
【００２７】
本実施例の電気かみそりは、可動刃ユニット３が外刃枠８に対してノーマル位置、上位置、下位置と上下方向の高さ位置を変えて使用可能になっている。何れかの使用モードで電気かみそりの駆動を停止させ、外刃枠８を刃ヘッド部２より取り外す際に、先ず可動内刃係止凹溝５３に可動外刃係止部６２が係止したまま可動外刃３ａが外刃枠８内の最も下降した位置（着脱位置）へ移動する。このとき、ロックアーム５６のロック爪５７に外刃枠係止部５４が係止するため、可動外刃３ａを常に一定位置（着脱位置）で固定したまま外刃枠８を刃ヘッド部２より取り外せる。
【００２８】
また、外刃枠８を取り外してから、モード切換えダイヤル１１を操作して可動内刃３ｂの高さ位置を変更したとしても、再度外刃枠８を刃ヘッド部２へ装着する際に、先ず係止解除部６３により外刃枠係止部５４とロック爪５７との係止状態を解除してから可動内刃係止凹溝５３に可動外刃係止部６２が係止するので、可動外刃３ａが外刃枠８に対してフリーな状態となり可動内刃３ｂの進入に追従して使用モード位置まで移動させることができる。
【００２９】
したがって、使用者が使用モードを気にすることなく、刃ヘッド部２より外刃枠８を取り外して、外刃や内刃を交換したり、内部の清掃を行った後に、再度外刃枠８を刃ヘッド部２に装着するだけで剃り始めることができるので利便性を向上させることができる。
【００３０】
次にきわ剃り刃ユニット６の組み付け構成について図４を参照して説明する。きわ剃り刃ユニット６は主にもみ上げを剃る場合に用いられる。きわ剃り刃ユニット６は、きわ剃り刃ベース部４３に一体に支持されてヘッド部フレーム５の正面側の取付部５ｂに組み込まれる。この取付部５ｂにはきわ剃りクリック体４４が取付けられ、きわ剃りレバー４５、更にはヘッドプレート５ｄにより外側から押さえ込まれるように組み付けられる。
【００３１】
きわ剃りレバー４５は、その一端が取付部５ｂに設けられたレバー軸４６に嵌め込まれ、他端側は操作レバー６ｃに連繋して組み込まれる。きわ剃りレバー４５にはボス部４５ａ及びクリック部４５ｂが形成されている。また、取付部５ｂには、ボス部４５ａが嵌め込まれる円弧状のガイド孔５ｃが形成されている。ボス部４５ａはガイド孔５ｃを挿通してきわ剃り刃ベース部４３に連繋するようになっている。操作レバー６ｃをガイド孔５ａに沿って上下に移動させると、きわ剃りレバー４５がレバー軸４６を中心に回転して、ボス部４５ａがガイド孔５ｃに沿って回転する。このとき、ボス部４５ａに連繋するきわ剃り刃ベース部４３が上下に移動し、同時にきわ剃り刃ユニット６も移動するようになっている。そして、クリック部４５ｂがきわ剃りクリック体４４に凹凸嵌合することで、図８に示すように、きわ剃り刃ユニット６が上位置若しくは下位置で固定される。
【００３２】
次に、可動刃ユニット３を基準位置より上下方向の所定位置へ移動させると、刃ヘッド部２のかみそり本体１に対する傾き角度が変化する機構について図１（ａ）〜（ｃ）を参照して説明する。尚、刃ヘッド部２の傾き角度は、上下方向を０度として説明する。図１（ａ）は、可動刃ユニット３が基準位置にある状態を示す（ノーマルモード）。このとき、リンクアーム４０は上下方向に平行姿勢でモードキー３３とオシレータホルダー３７との間を連結している。また、刃ヘッド部２の傾き角度は０度で保持されている。
【００３３】
図１（ｂ）はモード切換えダイヤル１１を反時計回り方向へ回転させて、モードキー３３を同方向に回転させてクリック部３３ａがモードキークリック体３０に凹凸嵌合して位置決めされた状態を示す（鼻下モード）。このとき、可動刃ユニット３はリンクアーム４０により押し上げられて刃ヘッド部２の他の刃ユニットより突出した高さ位置で保持されている。また、モードキー３３の反時計回り方向への回転によりリブ３５も同方向へ回転し、係合溝３６に連繋するヘッド連結体２７の係合ピン２７ｂが係合溝３６に沿って径方向外側へ移動する。このとき、ヘッド連結体２７は連結体支点軸２６を中心に時計回り方向へ僅かに回転する。これにより、ヘッド連結体２７の係合ピン２７ａが連繋する補強板２８（図６参照）を反時計回り方向に振らせて、刃ヘッド部２をヘッド支点軸２４を中心に反時計回り方向へ回転させた状態で保持して使用することができる。このときの刃ヘッド部２の傾き角度はおよそ８．１度であり、かみそり本体１に対して若干左に傾いて保持されている。
【００３４】
図１（ｃ）はモード切換えダイヤル１１を時計回り方向へ回転させて、モードキー３３を同方向に回転させてクリック部３３ａがモードキークリック体３０に凹凸嵌合して位置決めされた状態を示す（顎下モード）。このとき、可動刃ユニット３はリンクアーム４０により引き下げられて刃ヘッド部２の他の刃ユニットより退避した高さ位置で保持されている。また、モードキー３３の時計回り方向への回転によりリブ３５も同方向へ回転し、係合溝３６に連繋するヘッド連結体２７の係合ピン２７ｂが係合溝３６に沿って径方向外側へ僅かに移動する。このとき、ヘッド連結体２７は連結体支点軸２６を中心に反時計回り方向へ僅かに回転する。これにより、ヘッド連結体２７の係合ピン２７ａが連繋する補強板２８（図６参照）を時計回り方向に振らせて、刃ヘッド部２をヘッド支点軸２４を中心に時計回り方向へ回転させた状態で保持して使用することができる。このときの刃ヘッド部２の傾き角度はおよそ５度であり、かみそり本体１に対して僅かに右に傾いて保持されている。
【００３５】
次に、電気かみそりのモード切換えによる使用状態について図１４〜図１７を参照して説明する。図１４は、鼻下モードで使用する場合を示す。このとき、可動刃ユニット３を、他の刃ユニットより突出させた高さ位置とし、かつ刃ヘッド部２を正面側（メインスイッチ１０側）へ傾かせて使用できる。鼻下は剃り面積が限られているうえに剃り面が湾曲しているため、可動刃ユニット３の外刃３ａとの接触面積を十分確保し、刃ヘッド部２を手前に傾けることで操作者が持ち易く操作しやすい姿勢を保持することができる。
【００３６】
図１５は、顎下モードで使用する場合を示す。このとき、可動刃ユニット３を、他の刃ユニットより退避した高さ位置で使用することで、くせ髭が多い顎下でメイン刃ユニット４の両側に設けられたきわ剃り刃ユニット６若しくは粗剃り刃ユニット７で往復動作させることでくせ髭を剃りながらメイン刃ユニット４にて通常の髭を剃ることができるので、髭の性質に応じた仕上がりの良い剃り動作を行うことができる。また、刃ヘッド部２を正面側（メインスイッチ１０側）と反対側へ僅かに傾かせて使用できるので、顎下の傾斜に各外刃を合わせて使用できるので、髭と刃面との接触面積を十分確保し、しかも使い勝手を向上させることができる。
【００３７】
図１６は、ノーマルモードで使用する場合を示す。このとき、刃ヘッド部２は、可動刃ユニット３を基準位置に保持してかみそり本体１に対して傾斜させることなく使用する。この場合、比較的髭剃り面積が広い頬を可動刃ユニット３、メイン刃ユニット４、きわ剃り刃ユニット６及び粗剃り刃ユニット７の全ての刃面を使用して効率的に髭剃りを行うことができる。また、往復動作させることでくせ髭を剃りながらメイン刃ユニット４及び可動刃ユニット３にて仕上げに髭を剃ることができるので、剃り効率及び仕上がりの良い剃り動作を行うことができる。
【００３８】
図１７は、きわ剃りモードで使用する場合を示す。尚、モード切換えダイヤル１１はノーマルモード位置で、きわ剃り刃ユニット６のみを操作レバー６ｃを操作して上位置で固定して使用することができる。これにより、主にもみ上げを剃る場合に、肌当て角度を任意に調整することができるので、仕上がりの良い剃り動作を行うことができる。
【００３９】
以上、本発明の好適な実施例について述べてきたが、本発明は上述した電気かみそりに限定されるものではなく、可動刃ユニット３は単数ではなく複数設けても良い。たとえば、図１８（ａ）（ｂ）において、刃ヘッド部２は、可動刃ユニット３を３箇所に設けその両側にきわ剃り刃ユニット６、粗剃り刃ユニット７をそれぞれ設けておき、モード切換え部により刃面の高さ位置を上下で切換えるようにしても良い。また、単数又は複数の可動刃ユニット３とメイン刃ユニット４との組み合わせを増やして、刃面の高さのバリエーションを変化させて使用できるようにしても良い。また、可動刃ユニット３は基準位置、上位置及び下位置の３ポジションで固定して使用する場合に限らず、上下方向への移動位置を更に多位置へ切換えて使用できるようにしても良い。
【００４０】
また、フォイル状の外刃を有する可動刃ユニット３及びメイン刃ユニット４と、スリット状の外刃を有するきわ剃り刃ユニット６及び粗剃り刃ユニット７の配列は任意であり、これらを交互に配置したり、きわ剃り刃ユニット６及び粗剃り刃ユニット７を可動刃ユニット３やメイン刃ユニット４の両側に配置したりしても良い。
また、モード切換え部は、ダイヤル式に限らずレバー式など他の方式により刃面の高さ位置を切換えるようにしても良い。以上のように、法の精神を逸脱しない範囲で多くの改変を施し得るのはもちろんである。
【００４１】
【発明の効果】
本発明に係る電気かみそりを用いれば、刃ヘッド部は複数の刃ユニットを可動ユニットとして備え、該可動ユニットのうち少なくとも１のユニットを基準位置より上下に移動させた位置で固定して使用可能に構成されているので、肌面に当てる刃面のバリエーションを増やすことができ、鼻下、顎下、頬などの剃り部分に応じた最適な刃面を形成することができる。したがって、剃り部分に応じて可動ユニットの刃面の高さを変えるモード切換えを行うことで、仕上がりの良い、効率的な髭剃りを行える。
また、可動刃ユニットを基準位置より上下に移動させると、刃ヘッド部のかみそり本体に対する傾き角度が変化することにより、使用者が持ちやすく、剃り部分に応じた最適な肌当て角度を形成し易くして使い勝手を向上できる。
また、刃ヘッド部に外刃枠が装着されている間は、可動外刃が外刃枠に対して上下方向に自由に移動可能に支持され、外刃枠を刃ヘッド部より外す際に可動外刃が外刃枠の下方へ移動して係止固定されるので、何れの使用モードで外刃枠を刃ヘッド部より取り外しても、或いは外刃枠を取り外してから可動内刃の高さ位置を変更したとしても、再度外刃枠を刃ヘッド部へ装着する際に可動内刃の位置に追従して可動外刃が移動し、使用モードに応じた高さ位置へ可動刃ユニットがセットされる。したがって、使用者が使用モードを気にすることなく、刃ヘッド部より外刃枠を取り外して、外刃や内刃を交換したり、内部の清掃を行った後に、再度外刃枠を刃ヘッド部に装着するだけで剃り始めることができるので利便性を向上させることができる。
【図面の簡単な説明】
【図１】電気かみそりの刃ヘッド部の各種動作モードを示す内視説明図である。
【図２】電気かみそりの外観斜視図である。
【図３】電気かみそり及び可動刃ユニットの分解斜視図である。
【図４】きわ剃り刃の分解斜視図である。
【図５】電気かみそりの側面中央部の部分断面図である。
【図６】図５の電気かみそりの矢印Ａ−Ａ断面図である。
【図７】図５の電気かみそりの矢印Ｂ−Ｂ断面図である。
【図８】刃ヘッド部の模式図である。
【図９】刃ヘッド部より外刃枠を取り外した状態の斜視図である。
【図１０】図９の外刃枠の矢印Ｃ−Ｃ断面図である。
【図１１】外刃枠の分解斜視図である。
【図１２】外刃枠の斜視図である。
【図１３】図９の外刃枠の矢印Ｄ−Ｄ断面より側面内壁方向を見た説明図である。
【図１４】電気かみそりの鼻下モードの使用状態を示す説明図である。
【図１５】電気かみそりの顎下モードの使用状態を示す説明図である。
【図１６】電気かみそりのノーマルモードの使用状態を示す説明図である。
【図１７】電気かみそりのきわ剃りモードの使用状態を示す説明図である。
【図１８】他例に係る電気かみそりの刃ヘッド部のモード切換え動作を示す説明図である。
【図１９】従来の電気かみそりの刃ヘッド部の説明図である。
【符号の説明】
１　かみそり本体
２　刃ヘッド部
３　可動刃ユニット
３ａ、４ａ、６ａ、７ａ　外刃
３ｂ、４ｂ、６ｂ、７ｂ　内刃
４　メイン刃ユニット
５　ヘッド部フレーム
５ａ、５ｃ　ガイド孔
５ｂ　取付部
５ｄ　ヘッドプレート
６　きわ剃り刃ユニット
６ｃ　操作レバー
７　粗剃り刃ユニット
７ｃ　内刃支持体
８　外刃枠
８ａ、８ｂ、８ｃ　ガイド凹溝
８ｄ　脚部
９　外刃枠着脱キー
１０　メインスイッチ
１１　モード切換えダイヤル
１２　第１のモータジョイント部
１３　第１の偏芯ピン
１４　第２のモータジョイント部
１５　第２の偏芯ピン
１６　第１のオシレータ
１７　オシレータ軸
１８　刃連結体
１９　可動オシレータ
１９ａ　可動オシレータ軸
１９ｂ　連結部
２０　第２のオシレータ
２１　ネックカバー
２２　止め具
２３　起立支持片
２４　ヘッド支点軸
２５　ヘッドベース部
２６　連結体支点軸
２７　ヘッド連結体
２８　補強板
２９　凹溝
３０　モードキークリック体
３１　側面カバー
３２　ダイヤルシャフト
３３　モードキー
３４　モードカバー
３５　リブ
３６　係合溝
３７　オシレータホルダー
３８　アーム軸
３９　ボス部
４０　リンクアーム
４１　保持軸
４２　可動内刃フロート具
４３　きわ剃り刃ベース部
４４　きわ剃りクリック体
４５　きわ剃りレバー
４６　レバー軸
４７　駆動モータ
４８　スプリング
５１、５８、５９　外刃フレーム
５２、６０、６１　ガイド突部
５３　可動内刃係止凹溝
５３ａ、５４ａアーム部
５３ｂ、５４ｂ　フック部
５４　外刃枠係止部
５５　ロックプレート
５６　ロックアーム
５７　ロック爪
６２　可動外刃係止部
６３　係止解除部
【図１】
2004049864.tif 000003
【図２】
2004049864.tif 000004
【図３】
2004049864.tif 000005
【図４】
2004049864.tif 000006
【図５】
2004049864.tif 000007
【図６】
2004049864.tif 000008
【図７】
2004049864.tif 000009
【図８】
2004049864.tif 000010
【図９】
2004049864.tif 000011
【図１０】
2004049864.tif 000012
【図１１】
2004049864.tif 000013
【図１２】
2004049864.tif 000014
【図１３】
2004049864.tif 000015
【図１４】
2004049864.tif 000016
【図１５】
2004049864.tif 000017
【図１６】
2004049864.tif 000018
【図１７】
2004049864.tif 000019
【図１８】
2004049864.tif 000020
【図１９】
2004049864.tif 000021